(57)【要約】【課題】  ストロボ撮影時のみストロボ光を利用してデータを写し込むタイプで、非ストロボ撮影時に生じる外光の光量の低下を防ぐ。【解決手段】  非ストロボ撮影の時には外光を利用して、またストロボ撮影の時にはストロボ光を利用してデータを写し込む。第１データ光路１５ａ上には、第１開口４５、切り替えライトガイド６７、及び採光窓１２が配されている。切り替えライトガイド６７は、ストロボ充電スイッチ１０をＯＮ位置に操作することに連動して第１データ光路１５ａ上に位置する挿入位置に回転し、またＯＦＦ位置への操作に連動して第１データ光路１５ａ上から退避する退避位置に回転する。挿入位置のときには、ストロボ光を導光するライトガイド６８によりストロボ光を第１データ光路１５ａに入射させる。非ストロボ撮影のときには、第１データ光路１５ａから切り替えライトガイド６７が退避するため、光量を低下させることなく外光を取り込める。【選択図】        図５
2005099190.tif 000002
【特許請求の範囲】
【請求項１】
ストロボ装置と、外部に露呈して設けた採光窓から取り込んだ外光をシャッタレリーズに応答してアパーチャーにセットした写真フイルムの露光画面外に導いてデータを写し込むためのデータ光路とを備えたカメラにおいて、
前記ストロボ装置から放たれるストロボ光の一部を入射する入射部と、入射部とは異なる位置でそのストロボ光を射出する射出部とを有し、外部操作によりストロボ撮影を選択することに連動して、前記射出部を前記データ光路内に挿入して前記ストロボ光の一部をデータ光路に導光する導光位置と、外部操作により非ストロボ撮影を選択することに連動して、前記射出部をデータ光路外に退避させる非導光位置との間で移動する導光部材を備えたことを特徴とするカメラ。
【請求項２】
前記導光部材は、ストロボ充電スイッチの操作に連動して移動することを特徴とする請求項１記載のカメラ。
【請求項３】
前記ストロボ光をガイドする方向に沿って複数に分割したライトガイドで前記導光部材を構成し、前記複数のライトガイドのうちの前記射出部に相当する射出面を有する最後方のライトガイドを導光位置と非導光位置との間で移動させるように構成したことを特徴とする請求項１又は２記載のカメラ。
【請求項４】
前記導光部材を光ファイバーで構成したことを特徴とする請求項１又は２記載のカメラ。
【発明の詳細な説明】
【技術分野】
【０００１】
本発明は、例えばビットマークなどのデータを写真フイルム上に光学的に写し込むデータ写し込み装置を内蔵した写真用カメラやレンズ付きフイルムユニットに関するものである。
【背景技術】
【０００２】
安価なレンズ付きフイルムユニットに、データ写し込み機能を内蔵したものが知られている。中でも、ボディ前面に設けた採光窓からシャッタレリーズに応答して外光を取り入れ、透明な樹脂製で形成されたライトガイドを用いて写真フイルムに導光して露光画面外にマークを写し込むようにしたものが特許文献１に提案されている。
【０００３】
外光を用いてデータを写し込む場合、撮影場所が暗いと外光が写し込み光としては不十分となり確実にデータを写し込むことができない。そこで、ストロボ撮影のときに、ストロボ光を利用してデータを写し込むタイプが特許文献２に提案されている。特許文献２に記載のレンズ付きフイルムユニットには、ボディ前面の外部に導光部材（ライトガイド）が露呈している。この導光部材は、透明な樹脂で形成しされており、非ストロボ撮影のときに外光を内部のデータ光路に向けて入射させて外光によりデータを写し込ますとともに、ストロボ撮影の場合には、ストロボ光の一部をデータ光路に導光してストロボ光を利用してデータを写し込ますためのものである。また、写し込みデータの視認性を高めるために、導光部材を着色することも特許文献３に提案されている。
【０００４】
【特許文献１】特開平８−２１１４７８号公報
【特許文献２】特開２００１−２４２５９４号公報
【特許文献３】特開２０００−４７３１６号公報
【発明の開示】
【発明が解決しようとする課題】
【０００５】
しかしながら、上記特許文献１記載のレンズ付きフイルムユニットでは、非ストロボ撮影の場合に、導光部材を通して外光を採光するため、外光が写し込み光としては不十分となり確実にデータを写し込むことができない欠点があった。
【０００６】
本発明は、非ストロボ撮影のときに、充分な外光を採光することができるように工夫したデータ写し込み装置を内蔵のカメラを提供することを目的とする。
【課題を解決するための手段】
【０００７】
前記目的を達成するために、本発明のカメラでは、ストロボ装置から放たれるストロボ光の一部を入射する入射面と、入射面との異なる位置でそのストロボ光を射出する射出面とを有し、外部操作によりストロボ撮影を選択することに連動して、前記射出面を前記データ光路内に挿入して前記ストロボ光の一部をデータ光路に導光する導光位置と、外部操作により非ストロボ撮影を選択することに連動して、前記射出面をデータ光路外に退避させる非導光位置との間で移動する導光部材を備えたものである。
【０００８】
導光部材の射出面を挿入する位置としては、採光窓とフイルム面との間のデータ光路内のうちの採光窓とデータ露光用のシャッ部材との間が望ましい。導光部材としては、ライトガイドや光ファイバーを用いることができる。ライトガイドの場合には、１個に限らず複数に分割した構成としてもよい。この場合、射出面を有する最後のライトガイドを移動させるように構成すればよい。また、カメラに限らず、レンズ付きフイルムユニットにも採用することができる。
【発明の効果】
【０００９】
本発明では、外部から取り込んだ外光をフイルム面に導くデータ光路の途中に挿入される導光部材の射出面を、非ストロボ撮影を選択操作することに応答してデータ光路から退避させるように構成したから、非ストロボ撮影のときに入射する写し込み光を充分な光量として取り込むことができる。
【発明を実施するための最良の形態】
【００１０】
レンズ付きフイルムユニット２には、図１に示すように、外面に、撮影レンズ３、巻き上げノブ４、シャッタボタン５、ファインダ対物レンズ６、撮影枚数表示窓７、ストロボ発光部８、充電完了表示部９、ストロボ充電スイッチ１０、プリントモード選択用の操作部１１、及びデータ写し込む用の採光窓１２等が露呈して設けられている。
【００１１】
操作部１１は、図１に示す第１操作位置と図２に示す第２操作位置との二位置の間で移動自在となっている。操作部１１を第１操作位置から第２操作位置に操作して撮影を行うことで、トリミング指定である旨を表すビットマーク（第１ビットマーク）を写真フイルムのうちの撮影コマに対応した位置に写し込む。このトリミング範囲は、操作部１１を第２操作位置に操作することに連動してファインダ対物レンズ６の前に挿入されるマスク板１３によって、ファインダ視野範囲がトリミング範囲に応じた視野範囲に画定されるので、撮影前に視認することができる。
【００１２】
また、ストロボ充電スイッチ１０を図１に示すＯＦＦ位置から図２に示すＯＮ位置に移動操作してストロボ撮影を行うと、ストロボ撮影である旨を表すビットマーク（第２ビットマーク）を撮影コマに対応した位置で、かつ第１ビットマークとは異なる位置に光学的に写し込む。なお、ストロボ充電スイッチ１０をＯＮ位置にすることに連動して充電完了表示部９が外部に飛び出す。充電完了表示部９は透明なプラスチックで形成されたライトガイドとなっており、ストロボ充電が完了したときに内部に設けたストロボ充電完了ランプの点灯又は点滅を外部に導いて表示する。
【００１３】
図３に示すように、第１及び第２のビットマーク１５、１６の有無は写真プリンタによって識別され、第１ビットマーク１５を記録した撮影コマ１７, １８に対しては、プリント時に露光範囲の一部を拡大してプリントし、また第２ビットマーク１６を記録した撮影コマ１８，１９に対しては、プリント時に画像処理によって赤目補正処理が施されてプリントされる。本実施形態のレンズ付きフイルムユニット２では、第１及び第２ビットマーク１５，１６を写し込むための写し込み光源として、ストロボ撮影のときにはストロボ光を使用する。また第１ビットマーク１５を非ストロボ撮影で写し込むための光源としては外光を使用する。
【００１４】
レンズ付きフイルムユニットは、図４に示すように、前カバーユニット２１と後カバー２２とで外カバーが構成されており、外カバーの内部に、本体基部２３、カートリッジ付きの写真フイルム２４、ストロボユニット２５、露光ユニット２６が内蔵されている。そして、データ写し込み機構は、前カバーユニット２１、ストロボユニット２５、本体基部２３、及び露光ユニット２６に分散して組み込まれている。
【００１５】
本体基部２３には、露光開口２７を挟んだ一方側にカートリッジ２８を収納するカートリッジ室２９が設けられ、また他方側にカートリッジ２８から未露光の写真フイルム３０をロール状に巻回した状態で収納するフイルムロール室３１が設けられている。カートリッジ室２９の上には、巻き上げノブ４が回転自在に取り付けられている。巻き上げノブ４は、軸がカートリッジ２８のスプールに係合している。巻き上げノブ４を外部からフイルム巻き上げ方向に回転操作すると、撮影済みの写真フイルム３０をカートリッジ２８の内部に巻き上げる。
【００１６】
露光開口２７の前には、露光ユニット２６が取り付けられ、本体基部２３と露光ユニット２６との一部２３ａ，２６ａを組み合わせることで暗箱が形成される。暗箱は、撮影レンズ３を透過した撮影光を露光開口２７に導く。この暗箱内には、第１及び第２ライトガイド３３，３４が取り付けられる。第１ライトガイド３３は、外光又はストロボ光を取り入れる入射面３３ａと、入射した光を写真フイルム３０に第１ビットマーク１５として写し込むための射出面３３ｂとをもっている。また、第２ライトガイド３４は、ストロボ光を取り入れる入射面３４ａと、入射した光を写真フイルム３０に第２ビットマーク１６として写し込むための射出面３４ｂとをもっている。これらの射出面３３ｂ，３４ｂは、写真フイルム３０の近傍に位置しており、第１及び第２ビットマーク１５，１６が異なるマークとなるように、フイルム給送方向での長さが異なっている。
【００１７】
本体基部２３の背面は開口しており、ここにカートリッジ付き写真フイルム２４を装填後に後カバー２２を取り付けることで背面が遮光される。また、フイルムロール室３１とカートリッジ室２９との底面は開口している。後カバー２２には、一部を薄肉にして開閉自在にしたプルトップ式の蓋３６，３７が設けられている。一方の蓋３７は、フイルムロール室３１の底面を塞ぐための蓋であり、また、他方の蓋３６は、カートリッジ室２９の底面を塞ぐとともに、撮影済みの該ユニット２からカートリッジ２８を取り出すときに開かれる。
【００１８】
露光ユニット２６は、撮影レンズ３、シャッタ機構、スプロケットを有するフイルム巻き止め機構、シャッタチャージ機構、フイルムカウンタ機構、及びファインダ光学系などを一体的に組み込んだユニット部品である。ファインダ光学系は、凹レンズの対物レンズ６と凸レンズの接眼レンズを有する逆ガリレオ式のファインダとなっている。
【００１９】
シャッタ機構は、シャッタレリーズに応答してシャッタ羽根３９の一端を蹴飛ばすことで撮影光軸３ａを横切るようにシャッタ羽根３９をシャッタ開口４０の前面で一往復揺動させる蹴飛ばし式のタイプである。シャッタ開口４０は、露光ユニットの暗箱の前面のうちの撮影光軸３ａ上に設けられている。回転軸を挟んで前記一端４１とは逆側の他端に、シャッタ開口４０を開閉する撮影光用開閉部４２を設けたシャッタ羽根３９は、シャッタカバー４３によりカバーされる。シャッタカバー４３には、撮影光軸３ａ上に固定絞りが形成されており、その固定絞りの前面に撮影レンズ３が取り付けられている。
【００２０】
また、シャッタ羽根３９には、データ写し込み用開閉部４４が撮影光用開閉部４２から斜め上に突出して形成されている。データ写し込み用開閉部４４は、前記前面に設けた一対のデータ写し込み用の第１及び第２開口４５，４６を同時に開閉する。第１開口４５は、外光又はストロボ光を第１ライトガイド３３の入射面３３ａに導くための第１データ光路上に設けられており、また第２開口４６は、ストロボ光を第２ライトガイド３４の入射面３４ａに導くための第２データ光路上に設けられている。なお、シャッタカバー４３にも、第１及び第２データ光路上に開口４７，４８がそれぞれ設けられている。
【００２１】
ストロボユニット２５は、ストロボ基板４９、電源電池５０、ガイド板５１、スイッチ板５２などで構成されており、本体基部２３と前カバーユニット２１との間に着脱自在に取り付けられている。ストロボ基板４９には、ストロボ回路、メインコンデンサ、シンクロ接点、ストロボ発光部８などが一体的に組み込まれている。ストロボ充電スイッチ１０は、スイッチ板５２に形成されており、ガイド板５１のガイドによりスライドしてストロボ回路の充電スイッチを開閉する。ストロボユニット２５は、充電スイッチがＯＮすると、電源電池５０の電源を利用してメインコンデンサに充電を行い、シンクロスイッチに応答してトリガ信号を放電管に印加することでメインコンデンサに蓄積した高電圧を利用して放電管が発光してストロボ発光部８から被写体に向けてストロボ光を照射する。
【００２２】
前カバーユニット２１は、カバー基部５５と化粧カバー５６とで構成され、これらの間にファインダー視野変更機構とデータ写し込み機構の一部を構成する光源切り替え機構とが内蔵されている。採光窓１２は、化粧カバー５６のうちの第１データ光路上に設けられており、また、カバー基部５５のうちの第１及び第２データ光路上には、外光及びストロボ光をシャッタカバー４３に設けた開口４７，４８に通す開口５７が形成されている。
【００２３】
ファインダー視野変更機構は、図５に示すように、マスク板１３、操作板６０、及び連動レバー６１とで構成されている。操作板６０には、操作部１１が設けられており、外部操作により水平方向に移動して連動レバー６１を回転させる。連動レバー６１は、回転することでマスク板１３を対物レンズ６の前に挿入する挿入位置とそれから退避させる退避位置との間で移動させる。なお、マスク板１３を移動方向の逆方向から当接して挿入位置と退避位置とに位置決めする一対のストッパ６２，６３が設けられている。また、連動レバー６１は、マスク板１３を各ストッパ６２，６３に押す方向に向けてトグルバネ６４により付勢される。
【００２４】
データ写し込み用の光源切り替え機構は、操作板６０、第１遮蔽レバー６５、第２遮蔽板６６、切り替えライトガイド６７、及びストロボ光用ライトガイド６８などで構成されている。
【００２５】
操作部１１が第１操作位置のときには、第１ビットマーク１５を写し込まないため、第１開口４５を遮蔽する必要がある。この遮蔽を第１遮蔽レバー６５で行っている。第１遮蔽レバー６５は、回転軸を挟んだ一端６５ａが操作板６０に連係しており、操作部１１が第１操作位置のときに他端に設けた遮蔽板６５ｂを第１データ光路１５ａ上に挿入して第１開口４５を遮蔽する遮蔽位置と、第２操作位置のときに第１データ光路１５ａから退避して第１開口４５を開放する開放位置との間で回転する。なお、第１遮蔽レバー６５は、一端６５ａが操作板６０に常に連結するようにバネ６９により開放位置に向けて付勢されている。
【００２６】
非ストロボ撮影のときには第２ビットマーク１６を写し込まないため、ストロボ充電スイッチ１０がＯＦＦ位置のときには第２開口４６を遮蔽する必要がある。この遮蔽を第２遮蔽板６６で行っている。第２遮蔽板６６は、スイッチ板５２に一体に設けられ、スイッチ板５２と一緒に移動して、ストロボ充電スイッチ１０がＯＦＦ位置のときに第２データ光路１６ａ上に挿入されて第２開口４６を遮蔽する遮蔽位置に、またＯＮ位置のときに第２データ光路１６ａ上から退避して第２開口４６を開放する開放位置に移動する。
【００２７】
非ストロボ撮影で、第１ビットマーク１５を写し込むときには第１データ光路１５ａに外光を、またストロボ撮影で第１及び第２ビットマーク１５，１６の何れか一方又は両方を写し込むときには第１及び第２データ光路１５ａ，１６ａにストロボ光を、切り替えて導くことが必要となる。そこで、切り替えライトガイド６７とストロボ光用ライトガイド６８とが設けられている。ストロボ光用ライトガイド６８は、入射面６８ａがストロボ発光部８の近傍に、また、射出面６８ｂが第１及び第２データ光路１５ａ，１６ａの近傍に位置するように固定されている。
【００２８】
切り替えライトガイド６７は、ライトガイド部７０と連係部７１とを有した回転レバーとなっている。連係部７１は、スイッチ板５２に設けた突起５２ａに連係されている。したがって、切り替えライトガイド６７は、ストロボ充電スイッチ１０がＯＮ位置のときに導光位置に、ＯＦＦ位置のときには非導光位置に回転する。導光位置のときには、ライトガイド部７０の入射面７０ａがストロボ光用ライトガイド６８の射出面６８ｂの射出光路内に入り込んでストロボ光を入射させ、かつライトガイド部７０の射出面７０ｂが第１及び第２データ光路１５ａ，１６ａ上に挿入され、ストロボ光を第１及び第２開口４５，４６に向けて入射させる。非導光位置のときには、ライトガイド部７０の入射面７０ａがストロボ光用ライトガイド６８の射出面６８ｂから退避し、かつライトガイド部７０の射出面７０ｂも第１及び第２データ光路１５ａ，１６ａ上から退避する。
【００２９】
第１ライトガイド３３は、図６に示すように、第１開口４５から暗箱２６ａ，２３ａに入射したデータ光を第１写し込み開口７２に導光する第１データ光路１５ａを形成しており、第１データ光路１５ａと撮影光路７３とを遮断するために、暗箱２６ａ，２３ａの内部のうちの上側で遮光壁７４により隔離されている。また、図示していないが、第２ライトガイド３４も第２開口４６から暗箱２６ａ，２３ａに入射するデータ光を第２写し込み開口７５に導光する第２データ光路１６ａを形成しており、遮光壁７４により暗箱２６ａ，２３ａの内部で隔離されている。この遮光壁７４によりデータ光路１５ａ，１６ａから撮影光路７３にデータ光の進入（漏光）を防止する。さらに、第１及び第２ライトガイド３３，３４とは、仕切壁７６により隔離されている。仕切壁７６は、第１及び第２データ光路１５ａ，１６ａとの間でデータ光の進入（漏光）を防止する。
【００３０】
第１及び第２写し込み開口７２，７５は、図７に示すように、正面から見てスプロケット８０の右側に形成されており、スプロケット８０を回避する位置に配置されている。これにより、第１及び第２ビットマーク１５，１６は、その時点の撮影コマ８１ごとに写し込まれ、その位置は、撮影コマ８１の範囲外でかつフイルム幅方向の上端にそれぞれ写し込まれる。なお、第１ビットマーク１５は、フイルム移送方向に短いビットマークでとなっており、また第２ビットマーク１６は、フイルム移送方向に長いビットマークとなっている。
【００３１】
次に上記構成の作用を簡単に説明する。非ストロボ撮影でかつトリミング指定無しで撮影を行う場合には、操作部１１を第１操作位置にセットし、かつストロボ充電スイッチ１０をＯＦＦ位置にセットする。これにより、図８に示すように、マスク板１３が退避位置に移動し、撮影コマに応じたファインダ視野範囲となる。また、切り替えライトガイド６７が非導光位置に、また、第１遮蔽レバー６５が遮蔽位置に、そして、第２遮蔽板６６が遮蔽位置にそれぞれ位置する。この状態では、データ写し込み用開閉部４４の前で第１遮蔽レバー６５の遮蔽板６５ｂと第２遮蔽板６６とが第１及び第２データ光路１５ａ，１６ａを遮断している。
【００３２】
撮影は、巻き上げノブ４を回転操作して未露光の写真フイルム３０をカートリッジ２８に向けて巻き上げる。このフイルム移送によりスプロケット８０が回転し、その回転力を利用してシャッタチャージが行われるとともに、１コマ分のフイルム移送に応じたスプロケット８０の回転をフイルム巻き止め機構が検知することでフイルム巻き止めが作動してスプロケット８０と巻き上げノブ４との回転をロックする。
【００３３】
その後にシャッタボタン５を押下すると、シャッタ羽根３９が一往復揺動して写真フイルム３０に撮影光が露光される。このときに、データ写し込み用開閉部４４が第１及び第２開口４５，４６を開閉するが、データ写し込み用開閉部４４の前で第１遮蔽レバー６５と第２遮蔽板６６とが第１及び第２データ光路１５ａ，１６ａを遮断しているので、第１及び第２ビットマーク１５，１６が写真フイルム３０に写し込まれることはない。
【００３４】
非ストロボ撮影でかつトリミング指定有りで撮影を行う場合には、操作部１１を第２操作位置にセットし、かつストロボ充電スイッチ１０をＯＦＦ位置にセットする。これにより、図９に示すように、マスク板１３が挿入位置に移動し、撮影コマよりも小さいアスペクト比のトリミング範囲に応じたファインダ視野範囲となる。また、切り替えライトガイド６７が非導光位置に、また、第１遮蔽レバー６５が開放位置に、そして、第２遮蔽板６６が遮蔽位置にそれぞれ位置する。この状態では、データ写し込み用開閉部４４の前で第２遮蔽板６６が第２データ光路１６ａを遮断しており、また、第１データ光路１５ａはデータ写し込み用開閉部４４から採光窓１２までの間で開放されている。
【００３５】
その後にシャッタボタン５を押下すると、データ写し込み用開閉部４４が第１及び第２開口４５，４６を開閉する。このとき、第１データ光路１５ａは開放されているので、採光窓１２から入射する外光を利用して第１ビットマーク１５がその時点の撮影コマに対応した位置に写し込まれる。このとき、ライトガイド部７０が第１データ光路１５ａ上から退避しているため、採光窓１２から入射する外光を光量が低下することなく用いることができる。これにより、非ストロボ撮影でかつトリミング指定有りで撮影を行ったときには、その撮影コマに対応する位置に外光を利用して第１ビットマーク１５が写し込まれる。
【００３６】
ストロボ撮影でかつトリミング指定無しで撮影を行う場合には、操作部１１を第１操作位置にセットし、かつストロボ充電スイッチ１０をＯＮ位置にセットする。これにより、図１０に示すように、マスク板１３が退避位置に移動し、撮影コマに応じたファインダ視野範囲となる。また、切り替えライトガイド６７が導光位置に、また、第１遮蔽レバー６５が遮蔽位置に、そして、第２遮蔽板６６が退避位置にそれぞれ位置する。この状態では、ライトガイド部７０の入射面７０ａがストロボ光用ライトガイド６８の射出面６８ｂに一致し、かつライトガイド部７０の射出面７０ｂが第１及び第２データ光路１５ａ，１６ａ上に挿入されている。このとき、データ写し込み用開閉部４４とライトガイド部７０の射出面７０ｂとの間の第１データ光路１５ａ上に第１遮蔽レバー６５の遮蔽板６５ｂが位置しているため、第１データ光路１５ａが遮断されている。
【００３７】
ストロボ充電完了後に、シャッタボタン５を押下すると、シンクロスイッチがＯＮして、シャッタレリーズと同期してストロボ発光部８からストロボ光が放たれる。このストロボ光の一部がストロボ光用ライトガイド６８とライトガイド部７０とにより第１及び第２データ光路１５ａ，１６ａ上に導光される。そして、データ写し込み用開閉部４４が第１及び第２開口４５，４６を開閉する。このとき、第１データ光路１５ａが塞がれ、第２データ光路１６ａが開放されているので、第２ビットマーク１６が撮影コマに対応した位置に写し込まれる。これにより、ストロボ撮影でかつトリミング指定無しで撮影を行ったときには、ストロボ光を利用して第２ビットマーク１６が写し込まれる。
【００３８】
ストロボ撮影でかつトリミング指定有りで撮影を行う場合には、操作部１１を第２操作位置にセットし、かつストロボ充電スイッチ１０をＯＮ位置にセットする。これにより、図１１に示すように、マスク板１３が挿入位置に移動し、トリミング範囲に応じたファインダ視野範囲となる。また、切り替えライトガイド６７が導光位置に、また、第１遮蔽レバー６５が開放位置に、そして、第２遮蔽板６６が退避位置にそれぞれ位置する。この状態では、前述した図１０の状態と比べて、第１遮蔽レバー６５の遮蔽板６５ｂが退避しているため、第１データ光路１５ａが開放されている。
【００３９】
これにより、ストロボ撮影でかつトリミング指定有りで撮影を行ったときには、ストロボ光を利用して第１及び第２ビットマーク１５，１６がその時点の撮影コマに対応した位置にそれぞれ写し込まれる。
【００４０】
このように、撮影ごとにトリミング指定の有無とストロボ撮影か否かとのデータが各撮影コマごとに写し込まれる。最後の撮影コマへの撮影が完了すると、フイルムカウンタ機構が残り枚数の無い旨の表示位置に枚数表示板を回転させる。枚数表示板がその回転位置に回転することに連動してフイルム巻き止め機構の作動が禁止される。これにより、全部の写真フイルム３０をカートリッジ２８に巻き上げることができる。
【００４１】
撮影が終了したレンズ付きフイルムユニット２は、写真プリントのために現像所に提出される。現像所では、蓋３６を開けてカートリッジ室２９の底面からカートリッジ２８をスプール軸方向に取り出す。このカートリッジ２８は写真処理工程に回される。
【００４２】
図３で説明したように、各撮影コマごとに記録された第１及び第２のビットマーク１５，１６の有無は写真プリンタによって識別される。第１ビットマーク１５を記録した撮影コマ１７に対しては、プリント時に露光範囲の一部を拡大してプリント処理する。また第２ビットマーク１６を記録した撮影コマ１９に対しては、プリント時に画像処理によって赤目補正処理が施されてプリントされる。そして、第１及び第２ビットマーク１５，１６を記録した撮影コマ１８に対しては、プリント時に露光範囲の一部を拡大して読み取った画像を画像処理によって赤目補正処理を施して拡大プリントする。勿論、ビットマーク無しの撮影コマに対しては通常プリント処理となる。
【００４３】
このようにしてプリント処理を行った後に、プリント写真とネガがユーザーに戻される。空のレンズ付きフイルムユニット２は、リサイクルのために、集積された後に工場に回収される。リサイクル時には、使用済みのレンズ付きフイルムユニット２を分解して各部品を取り出し、再使用可能な部品と再生使用部品とを分別してリサイクルを行う。このとき、着色したライトガイドなどの部品を使用していなから、リサイクル性及びリユース性が向上する。
【００４４】
上記実施形態では、ストロボ光用ライトガイド６８と切り替えライトガイド６７とを用いているが、これを省略して、図１２に示すように、光ファイバー９０を用いても良い。この場合には、光ファイバー９０の一端９０ａをストロボ発光部８の近傍に、また他端９０ｂをスイッチ板５２に設けた突出板９２にそれぞれ固定し、ストロボ充電スイッチ１０がＯＮ位置のときに、光ファイバー９０の他端９０ｂが第２データ光路１６ａ上に挿入されるように構成する。これにより、ストロボ撮影のときには、ストロボ光の一部が第２データ光路１６ａのうちのフイルム面側に向けて導かれる。第１データ光路１５ａには別に光りファイバーを用いてパラレル構造にしてもよいし、途中で分岐して分けるようにしてもよい。
【００４５】
また、上記実施形態では、ライトガイド部７０を挿入する位置としては、データ写し込み用開閉部４４と採光窓１２との間のデータ光路上であれば何処でもよい。また、遮蔽板６５ｂ，６６を挿入する位置としては、ライトガイド部７０の挿入位置とデータ写し込み用開閉部４４との間であれば何処でも良い。さらに、ストロボ光用ライトガイド６８と切り替えライトガイド６７とで導光部材を構成しているが、２個に限らず、１個でも良いし３個以上で構成してもよい。
【００４６】
さらに、上記実施形態では、第１及び第２ビットマーク１５，１６を記録しているが、本発明ではこれに限らず、非ストロボ撮影の場合にはストロボ導光部材であるライトガイド部７０を退避させて外光のみを利用してマークを写し込む第１ビットマーク１５のみでもよい。また、本発明のデータ写し込み装置は、レンズ付きフイルムユニット２に限らず、写真用カメラなどにも利用することができ、さらには、トリミング情報やストロボ撮影か否かの情報に限らず、年月日などのデートや撮影日などでもよく、またズームレンズのズーム情報、さらにはプリントカラーの指定やプリントサイズの指定などプリント処理に関する各種の指定を行うプリント指定情報などいろいろな情報を写し込むのに利用することができる。
【００４７】
また、本発明を、１３５タイプのフイルムパトローネを使用したレンズ付きフイルムユニット２に適用した例で説明したが、ＩＸ２４０タイプのフイルムカートリッジを使用したレンズ付きフイルムユニットに本発明を適用してもよい。
【００４８】
また、本発明を、１回使用型の簡易型カメラであるレンズ付きフイルムユニット２に適用した例で説明したが、写真フイルムを交換して複数回使用できる簡易型カメラに適用してもよい。
【図面の簡単な説明】
【００４９】
【図１】レンズ付きフイルムユニットの外観を示す斜視図であり、トリミング指定なしで非ストロボ撮影の状態を示している。
【図２】レンズ付きフイルムユニットの外観を示す斜視図であり、トリミング指定有りでストロボ撮影の状態を示している。
【図３】光学データマークに対するプリント処理の方法を示す説明図である。
【図４】レンズ付きフイルムユニットの分解斜視図である。
【図５】ファインダ視野範囲変更機構及びデータ写し込み機構の概略を示す分解斜視図である。
【図６】暗箱の要部断面図である。
【図７】写真フイルムに写し込むビットマークの位置を示す説明図である。
【図８】ファインダ視野範囲変更機構及びデータ写し込み機構の概略を示す正面図であり、トリミング指定無しで非ストロボ撮影の状態を示している。
【図９】ファインダ視野範囲変更機構及びデータ写し込み機構の概略を示す正面図であり、トリミング指定有りで非ストロボ撮影の状態を示している。
【図１０】ファインダ視野範囲変更機構及びデータ写し込み機構の概略を示す正面図であり、トリミング指定無しでストロボ撮影の状態を示している。
【図１１】ファインダ視野範囲変更機構及びデータ写し込み機構の概略を示す正面図であり、トリミング指定有りでストロボ撮影の状態を示している。
【図１２】光ファイバーを用いた他の例を示す要部斜視図である。
【符号の説明】
【００５０】
２  レンズ付きフイルムユニット
３  撮影レンズ
１０  ストロボ充電スイッチ
１３  マスク板
３３  第１ライトガイド
３４  第２ライトガイド
４４  データ写し込み用開閉部
４５  第１開口
４６  第２開口
６０  操作板
６１  連動レバー
６５  第１遮蔽レバー
６７  切り替えライトガイド
６８  ストロボ光用ライトガイド
【図１】
2005099190.tif 000003
【図２】
2005099190.tif 000004
【図３】
2005099190.tif 000005
【図４】
2005099190.tif 000006
【図５】
2005099190.tif 000007
【図６】
2005099190.tif 000008
【図７】
2005099190.tif 000009
【図８】
2005099190.tif 000010
【図９】
2005099190.tif 000011
【図１０】
2005099190.tif 000012
【図１１】
2005099190.tif 000013
【図１２】
2005099190.tif 000014